(57)【要約】【課題】音声信号を無線伝送する際、伝送側で音量レベル等の調整が行われると、伝送する音声信号が小信号となった場合、受信側のＳ／Ｎが悪化する。本発明は、Ｓ／Ｎを悪化させることなく、良好な音声を聴取できるようにした音声信号の送受信装置を提供する。【解決手段】本発明は、デジタル化された音声信号及び音量レベル等を調整する調整データを含む音声データを送信する送信機と、この送信機からの音声データを受信する受信機とを具備し、この受信機は、前記音声データを受信し音声信号と調整データとをそれぞれ分離する分離手段と、分離した音声信号を分離した調整データに基づいて調整する音声処理回路とを有し、この音声処理回路からの出力信号をスピーカに供給するようにした音声信号の送受信装置である。【選択図】  図２
2004207932.tif 000002
【特許請求の範囲】
【請求項１】
デジタル化された音声信号及び前記音声信号のレベル又は特性を調整する調整データを含む音声データを送信する送信機と、前記送信機からの音声データを受信する受信機とを具備し、
前記受信機は、前記音声データを受信し前記音声信号と前記調整データとをそれぞれ分離する分離手段と、前記分離した音声信号を前記分離した調整データに基づいて調整する音声処理回路とを有し、
前記音声処理回路からの出力信号をスピーカに供給するようにしたことを特徴とする音声信号の送受信装置。
【請求項２】
音声信号を受信し、制御回路からの調整データにより前記音声信号の出力レベル又は特性を調整可能な機器と；
前記機器にて受信した音声信号をデジタル化するＡ／Ｄ変換回路と、前記デジタル化された音声信号と前記制御回路からの調整データとを混合した音声データを送信する送信回路とを有する送信機と；
前記送信機からの音声データを受信して復調する復調回路と、前記復調回路で復調した信号からデジタル音声信号と前記調整データとをそれぞれ分離する分離回路と、前記分離した音声信号をＤ／Ａ変換するＤ／Ａ変換回路と、前記分離した調整データに基づいて前記Ｄ／Ａ変換回路からの音声信号を調整する音声処理回路と、前記音声処理回路からの出力信号を再生するスピーカとを有する受信機と；
を具備したことを特徴とする音声信号の送受信装置。
【請求項３】
音声信号を受信し、制御回路からの調整データにより前記音声信号の出力レベル又は特性を調整可能であって、前記受信した音声信号をデジタル化するＡ／Ｄ変換回路と、前記デジタル化された音声信号と前記制御回路からの調整データとを混合した音声データを送信する送信回路とを有する機器と；
前記機器から送信された音声データを受信して復調する復調回路と、前記復調回路で復調した信号からデジタル音声信号と前記調整データとをそれぞれ分離する分離回路と、前記分離した音声信号をＤ／Ａ変換するＤ／Ａ変換回路と、前記分離した調整データに基づいて前記Ｄ／Ａ変換回路からの音声信号を調整する音声処理回路と、前記音声処理回路からの出力信号を再生するスピーカとを有する受信機と；
を具備したことを特徴とする音声信号の送受信装置。
【請求項４】
受信した音声信号をデジタル変換し、該デジタル化された音声信号を処理するデジタルサウンドプロセッサと、前記デジタルサウンドプロセッサによって処理された音声信号をアナログ変換するＤ／Ａ変換回路と、このＤ／Ａ変換回路からの音声信号を調整するための調整データを生成する制御回路と、前記デジタルサウンドプロセッサからのデジタル化された音声信号と前記制御回路からの調整データとを混合した音声データを送信する送信回路とを有する機器と；
前記機器から送信された音声データを受信して復調する復調回路と、前記復調回路で復調した信号からデジタル音声信号と前記調整データとをそれぞれ分離する分離回路と、前記分離した音声信号をＤ／Ａ変換するＤ／Ａ変換回路と、前記分離した調整データに基づいて前記Ｄ／Ａ変換回路からの音声信号を調整する音声処理回路と、前記音声処理回路からの出力信号を再生するスピーカとを有する受信機と；
を具備したことを特徴とする音声信号の送受信装置。
【請求項５】
前記調整データは、音量レベルを調整するデータであることを特徴とする請求項１，２，３，４のいずかに記載の音声信号の送受信装置。
【請求項６】
前記調整データは、周波数特性を調整するデータであることを特徴とする請求項１，２，３，４のいずかに記載の音声信号の送受信装置。
【請求項７】
デジタル化された音声信号及び前記音声信号のレベル又は特性を調整する調整データを混合した音声データを送信し、
前記送信された音声データを受信して前記デジタル化された音声信号と前記調整データとをそれぞれ分離し、
分離した音声信号を分離した調整データに基づいて調整し、その調整出力をスピーカに供給するようにしたことを特徴とする音声信号の送受信方法。
【発明の詳細な説明】
【０００１】
【発明の属する技術分野】
本発明はテレビジョン受像機等のＡＶ機器（オーディオ・ビジュアル機器）における音声信号の送受信装置及び送受信方法に関するものである。
【０００２】
【従来の技術】
従来、音声信号を扱う機器としてテレビジョン受像機等のＡＶ機器がある。これらＡＶ機器は、スピーカを内蔵し、放送信号を受信処理した音声信号をスピーカに供給し、スピーカからの音を聴取できるようにしている。一方、最近では、ＡＶ機器本体とスピーカとを切り離し、ＡＶ機器本体から音声信号を無線伝送し、スピーカ側でそれを受信して音声信号をスピーカに供給し聴取できるようにしたものある。
【０００３】
このような音声信号の無線伝送は、例えば難聴者用に適し、テレビ受像機から離れた位置で音声を聴く場合に、聴取者の傍にスピーカを配置することで、音声を容易に聞き取ることができるという利点がある。或いは、サラウンド音声処理のように、テレビジョン受像機にＬ（左），Ｒ（右）用のスピーカを内蔵し、さらにリアスピーカを聴取者の後部に配置するような場合に、テレビジョン受像機からリアスピーカに対して音声信号を無線伝送することにより、複雑な配線をなくすことができるという利点がある。
【０００４】
ところで、このような音声信号の無線伝送方式としては、アナログ音声信号による伝送と、デジタル音声信号による伝送が考えられるが、昨今はデジタル機器の普及に伴いデジタル伝送が主流となっている。デジタル伝送においては伝送時の伝送ロスが少ないという利点を有するが、アナログ信号をＡ／Ｄ変換して送信し、受信側でＤ／Ａ変換するため、Ａ／Ｄ変換回路やＤ／Ａ変換回路を介することによる量子化ノイズや弱信号時の歪等が問題になるケースが多い。
【０００５】
尚、音声信号の無線伝送方式としては、例えば特許文献１（特開平６−２１９０２号公報）に記載された例がある。この例では、伝送処理される前の音声データを時間軸伸長し、時間軸伸長された分だけ低レート化されたデータを伝送信号として扱うことにより、単位時間当たりの伝送処理量を少なくして伝送処理系の負担を少なくするようにしている。
【０００６】
しかしながら、音声信号の無線伝送においては、伝送出力側（例えばテレビジョン受像機側）で音量調整がされるため、その音量レベルに従う音声信号を伝送先に送るため、音量レベルが小さいと伝送する音声信号も小信号となり、Ｓ／Ｎが悪化するという問題があった。
【０００７】
【特許文献１】
特開平６−２１９０２号公報
【０００８】
【発明が解決しようとする課題】
従来の音声信号の無線伝送方式としては、デジタル伝送が主流となっているが、Ａ／Ｄ変換回路やＤ／Ａ変換回路を介することによる量子化ノイズや弱信号時の歪が問題になるケースが多く、特に伝送出力側での音量レベルが小さい場合、伝送する音声信号も小信号となり、Ｓ／Ｎが悪化するという問題があった。
【０００９】
本発明は、伝送出力側での音量レベルが小さい場合でもＳ／Ｎを悪化させることなく、良好な音声を聴取できるようにした音声信号の送受信装置及び送受信方法を提供することを目的とする。
【００１０】
【課題を解決するための手段】
請求項１記載の本発明は、デジタル化された音声信号及び前記音声信号のレベル又は特性を調整する調整データを含む音声データを送信する送信機と、前記送信機からの音声データを受信する受信機とを具備し、
前記受信機は、前記音声データを受信し前記音声信号と前記調整データとをそれぞれ分離する分離手段と、前記分離した音声信号を前記分離した調整データに基づいて調整する音声処理回路とを有し、前記音声処理回路からの出力信号をスピーカに供給するようにしたことを特徴とする音声信号の送受信装置である。
【００１１】
又、請求項８記載の本発明は、デジタル化された音声信号及び前記音声信号のレベル又は特性を調整する調整データを混合した音声データを送信し、前記送信された音声データを受信して前記デジタル化された音声信号と前記調整データとをそれぞれ分離し、分離した音声信号を分離した調整データに基づいて調整し、その調整出力をスピーカに供給するようにしたことを特徴とする音声信号の送受信方法である。
【００１２】
本発明によれば、伝送するデジタル音声信号は、音量調整等を受けることなく伝送されるため減衰することはなく、Ｓ／Ｎの改善が可能となる。また、送信された音量等の調整データは、受信機側で分離され音量等の調整に利用される。
【００１３】
【発明の実施の形態】
以下本発明の実施形態を図を参照して説明する。図１は本発明の一実施形態による概念図を示すもので、ＡＶ機器本体（テレビジョン受像機）に送信機を接続し、その送信機からの音声信号をスピーカを内蔵した受信機で受信して聴取するようにしたものである。
【００１４】
図１において、１はテレビジョン受像機であり、ＤＶＤプレーヤ等の外部機器２を接続可能にしており、リモコン３によって各種の制御が行われる。テレビ受像機１では、放送信号を受信処理した映像・音声信号を再生したり、外部機器２からの映像・音声信号を再生するほか、再生中の音声信号及び音量レベルデータを送信機４に供給し、送信機４は、スピーカを内蔵した受信機５，６に対して音声信号データを伝送するようにしている。受信機５，６はテレビジョン受像機１から離れた位置に配置され、送信機４から伝送された音声データを受信処理して内蔵のスピーカから音声信号を再生するようにしている。
【００１５】
図２は、図１における音声信号の送受信部の回路構成を示すブロック図である。図２において、１はテレビジョン受像機であり、放送信号を受信処理するチューナ１１と外部機器２からの映像・音声用入力端子１２を備え、チューナ１１からは映像信号及び音声信号を出力する。チューナ１１からの映像信号及び入力端子１２からの映像信号は、それぞれ選択回路１３に入力され、いずれか一方の映像信号が選択されて、映像処理回路１４を介してディスプレイ（図示せず）に供給される。
【００１６】
又、チューナ１１からの音声信号及び入力端子１２からの音声信号は、それぞれ選択回路１５に入力され、いずれか一方の音声信号が選択されて、送信機４に供給される。一方、テレビジョン受像機１には、前記選択回路１５からの音声信号を処理する音声処理回路１６が設けられ、ここで音量や音質等の調整が行われ、アンプ１７を介してスピーカ１８に出力するようにしている。
【００１７】
前記音声処理回路１６には制御回路としてのマイクロプロセッサ１９が接続され、前記音量調整等を行うとともに、かつ音量データを送信機４に供給するようにしている。このマイクロプロセッサ１９はリモコン３からの指示に従って前記音量調整や前記選択回路１３，１５の選択を行うもので、リモコン３からの指示を受けるリモコン受光部２０が接続されている。
【００１８】
又、前記送信機４は、テレビジョン受像機１からの音声信号をデジタル信号に変換するＡ／Ｄ変換回路４１を有し、このＡ／Ｄ変換回路４１からのデジタル音声信号とテレビジョン受像機１からの音量データを混合回路４２で混合する。混合回路４２で混合された信号は、変調回路４３で変調されてフォーマット変換され、フォーマット化された音声データは送信回路４４に供給される。送信回路４４は、変調回路４３からの音声データを所定の搬送波で送信するもので、アンテナ４５を介して受信機５に送信する。
【００１９】
受信機５は、アンテナ５１によって送信機４からの信号を受信するもので、送信された音声データを受信する受信回路５２と、受信回路５２で受信した音声データを復調する復調回路５３を有している。復調回路５３からの復調出力は、セパレータ５４に供給され、ここでデジタル音声信号と音量レベルデータとが分離される。分離されたデジタル音声信号はＤ／Ａ変換回路５５でアナログ音声信号に変換され、音声調整回路５６及びアンプ５７を介してスピーカ５８に供給される。又、セパレータ５４で分離された音量データは音声調整回路５６に供給され音量レベルの調整が行われ、Ｄ／Ａ変換回路５５及び音声調整回路５６は、受信機側の音声処理回路を構成する。
【００２０】
尚、受信機６については、受信機５と同様の構成であるため、説明は省略する。また受信機は２つに限らず、それ以上であっても良いし、１つだけでも良い。
【００２１】
ここで、前記変調回路４３でのフォーマット変換の一例を図３を参照して説明する。図３は、Ａ／Ｄ変換回路４１からのデジタル音声信号にマイクロプロセッサ１９からの音量データが足し込まれた様子を示しており、システム領域、音量レベル領域、音声信号領域が１パケットとして形成されている。こうして、音声信号と音量レベルのデータが送信されることになる。
【００２２】
次に、図１の本発明の動作について説明する。基本動作は、放送信号を受信処理した音声信号又は外部機器からの音声信号が送信機４を介して受信機５に送信され、受信機５に内蔵されたスピーカ５８によって、テレビジョン受像機１から離れた位置で音声を聴くことができる点にあるが、本発明では、ユーザがリモコン３を操作し音量を調整すると、その音量レベルのデータとデジタル化された音声信号が同時に送信されるようにしている。
【００２３】
このとき、デジタル音声信号は、現信号レベルのまま、即ち音量調整を受けることなく伝送するようにしている。したがって、送信機４の入力部から受信機５の音声調整回路５６の前段まで、音声信号レベルは減衰されることなく伝送されるので、ノイズに関して相当の改善効果が得られ、Ｓ／Ｎの改善が可能となる。
【００２４】
一方、送信された音量レベルデータは、受信機５のセパレータ５４で分離され、音声調整回路５６に供給され、ここで音量の調整が行われることになる。したがってＳ／Ｎの良好な音声をリモコン３の操作により、音量調整することができる。
【００２５】
尚、音量データの他に周波数特性のデータ等も送信するようにしても良い。周波数特性データとしては、例えば或る大きな信号レベルの音声の低域レベルを強調する信号等が考えられる。一般には、大きな信号レベルの低域を増強して伝送したい場合、伝送経路のダイナミックレンジの制約があるため、増強できない場合が多いが、本発明によれば、低域増強のデータを音声信号と同時に伝送可能であるため、受信機５で低域増強のデータをセパレートし、音声調整回路５６で低域増強の処理を行うことができ、伝送経路のダイナミックレンジの制約に拘わらず受信機側にて低域増強を行うことができる。また低域増強に限らず高域増強のデータを伝送するようにしても良い。
【００２６】
次に図４，図５を参照して本発明の第２の実施形態について説明する。この実施形態は、前述した送信機４をテレビジョン受像機１に内蔵したものであり、図５のブロック図で示すように、テレビジョン受像機１内にＡ／Ｄ変換回路４１、混合回路４２、変調回路４３、送信回路４４、及びアンテナ４５が内蔵されたものである。その他の構成は図２と変わらず、動作も先の実施形態と同様である。
【００２７】
又、図６は本発明のさらに別の実施形態を示すもので、テレビジョン受像機１内部で音声信号をデジタル処理した場合を示している。
【００２８】
図６において、放送信号を受信処理するチューナ１１からは映像信号及び音声信号を出力する。その内、音声信号は、Ａ／Ｄ変換回路１０１によってデジタル音声信号に変換され、ＤＳＰ１０２（デジタル・サウンド・プロセッサ）に供給される。ＤＳＰ１０２では音声信号をサラウンド処理して音場の拡大処理等を行い、Ｄ／Ａ変換回路１０３に供給する。又、ＤＳＰ１０２からのデジタル音声信号は混合回路４２される。
【００２９】
一方、Ｄ／Ａ変換回路１０３の出力は、音声処理回路１６に供給され、ここで音量や音質等の調整が行われ、アンプ１７を介してスピーカ１８に出力するようにしている。
【００３０】
前記音声処理回路１６には制御回路としてのマイクロプロセッサ１９が接続され、音量調整等を行うとともに音量データを前記混合回路４２に供給する。混合回路４２及び変調回路４３は、音量データとＤＳＰ１０２からのデジタル音声信号とを混合し、図３で示したようにフォーマット変換を行う。フォーマット化された音声データは送信回路４４に供給される。送信回路４４は、変調回路４３からの音声データを所定の搬送波で送信するもので、アンテナ４５を介して受信機５に送信する。尚、図６において、受信機５の構成、動作は先の実施形態と同様である。
【００３１】
この図６の構成によれば、テレビジョン受像機に内蔵しているデジタル処理回路（１０１〜１０３）を利用する事ができ、前述した実施形態におけるＡ／Ｄ変換回路４１は不要となる。
【００３２】
このように本発明の送受信装置によれば、無線伝送によりＡＶ機器本体から離れた位置にスピーカを配置して音声を聴くことができ、かつ耐ノイズ制に優れた音を聴くことができる。また、サラウンド音声処理のように、テレビジョン受像機にＬ（左），Ｒ（右）用のスピーカを内蔵し、さらにリアスピーカを聴取者の後部に配置するような場合、このリアスピーカを前記受信機５６に内蔵することにより、質の高いサラウンド音声を聴くことができる。尚、以上の説明では、ＡＶ機器としてテレビジョン受像機を例に述べたが、ステレオ再生機器に応用することもできる。
【００３３】
【発明の効果】
以上述べたように本発明の送受信装置によれば、デジタル音声信号を伝送する際、音量調整等による減衰を受けることなく伝送できるため、Ｓ／Ｎを改善し、質の高い音声を聴くことができる。
【図面の簡単な説明】
【図１】本発明の一実施形態による音声信号の送受信装置を示す外観図。
【図２】本発明の一実施形態による送受信装置を示すブロック図。
【図３】本発明の音声信号の伝送フォーマットを示す説明図。
【図４】 本発明の第２の実施形態による音声信号の送受信装置を示す外観図。
【図５】本発明の第２の実施形態による送受信装置を示すブロック図。
【図６】本発明の他の実施形態による送受信装置を示すブロック図。
【符号の説明】
１…ＡＶ機器（テレビジョン受像機）
２…外部機器
３…リモコン
４…送信機
５，６…受信機
１１…チューナ
１２…外部入力端子
１６…音声処理回路
１９…マイクロプロセッサ
４１…Ａ／Ｄ変換回路
４２…混合回路
４３…変調回路
４４…送信回路
４５，５１…アンテナ
５２…受信回路
５３…復調回路
５４…セパレータ
５５…Ｄ／Ａ変換回路
５６…音声調整回路
５７…アンプ
５８…スピーカ
１０１…Ａ／Ｄ変換回路
１０２…ＤＳＰ
１０３…Ｄ／Ａ変換回路
【図１】
2004207932.tif 000003
【図２】
2004207932.tif 000004
【図３】
2004207932.tif 000005
【図４】
2004207932.tif 000006
【図５】
2004207932.tif 000007
【図６】
2004207932.tif 000008